(57)【要約】  羽根を回転させるＤＣモータ（２）を制御する制御部（３）を備える。また、制御部（３）は、ＤＣモータ（２）の回転数を検出する回転数検出部（６）と、ＤＣモータ（２）に通電されている電流値を検出する電流検出部（７）と、ＤＣモータ（２）の目標回転数を設定する目標回転数設定部（１２）を備える。また、回転数検出部（６）で検出した回転数が目標回転数になるようにＤＣモータ（２）を制御する回転数制御部（９）と、電流検出部（７）で検出した電流値が所定の範囲内になるように目標回転数の変更を行う目標回転数補正部（８）を備える。ＤＣモータ（２）が設定した電流値で動作できるので、天井からの設置状態に関係なく、天井扇風機を所定の能力で運転することができる。
2016042696.tif 000002
【特許請求の範囲】
【請求項１】
羽根と、
前記羽根を回転させるＤＣモータと、
前記ＤＣモータを制御する制御部とを備え、
前記制御部は、
前記ＤＣモータの回転数を検出する回転数検出部と、
前記ＤＣモータに通電されている電流値を検出する電流検出部と、
前記ＤＣモータの目標回転数を設定する目標回転数設定部と、
前記回転数検出部で検出した回転数が前記目標回転数になるようにＤＣモータを制御する回転数制御部と、
前記電流検出部で検出した電流値が所定の範囲内になるように前記目標回転数の変更を行う目標回転数補正部と、
を備える天井扇風機。
【請求項２】
使用者からの風量の設定を受け取る風量設定部を備え、
前記目標回転数設定部は、
前記風量設定部で設定された設定風量に対応する目標回転数を決定し、
前記目標回転数補正部は、
前記風量設定部で設定された風量が最大風量の設定である場合に、目標回転数の補正を実施する請求項１記載の天井扇風機。
【請求項３】
前記回転数制御部は、
前記回転数検出部が検出した回転数の前記目標回転数への到達を判定し、
前記目標回転数に到達した場合に到達した旨を示す到達情報を送信し、
前記目標回転数補正部は、
前記到達情報を受信した後に前記目標回転数の変更のための処理を開始する請求項１または２のいずれか一項に記載の天井扇風機。
【請求項４】
前記目標回転数補正部は、
前記電流検出部からの電流値と予め設定された前記所定の範囲の上限値とを比較し、
前記電流検出部からの電流値が前記上限値を超えた場合に前記目標回転数の変更のための処理を開始する請求項１または２のいずれか一項に記載の天井扇風機。
【請求項５】
前記制御部は、
設定風量とその設定風量に対応する回転数とを対応付けて記憶する風量回転数テーブルを備え、
前記目標回転数設定部は、
前記風量設定部にて設定された設定風量と前記風量回転数テーブルとに基づいて前記目標回転数を決定する請求項２に記載の天井扇風機。
【請求項６】
前記制御部は、
設定風量とその設定風量に対応する回転数とを対応付けて記憶する風量回転数テーブルを備え、
前記目標回転数設定部は、
前記風量設定部にて設定された設定風量と前記風量回転数テーブルとに基づいて前記目標回転数を決定する請求項３に記載の天井扇風機。
【請求項７】
前記制御部は、
設定風量とその設定風量に対応する回転数とを対応付けて記憶する風量回転数テーブルを備え、
前記目標回転数設定部は、
前記風量設定部にて設定された設定風量と前記風量回転数テーブルとに基づいて前記目標回転数を決定する請求項４に記載の天井扇風機。
【請求項８】
前記制御部は、
設定風量とその設定風量に対応する電流値とを対応付けて記憶する風量電流テーブルを備え、
前記目標回転数補正部は、
前記風量設定部にて設定された設定風量と前記風量電流テーブルとに基づいて前記目標回転数を補正する基準となる電流値の範囲を決定する請求項２に記載の天井扇風機。
【請求項９】
前記制御部は、
設定風量とその設定風量に対応する電流値とを対応付けて記憶する風量電流テーブルを備え、
前記目標回転数補正部は、
前記風量設定部にて設定された設定風量と前記風量電流テーブルとに基づいて前記目標回転数を補正する基準となる電流値の範囲を決定する請求項３に記載の天井扇風機。
【請求項１０】
前記制御部は、
設定風量とその設定風量に対応する電流値とを対応付けて記憶する風量電流テーブルを備え、
前記目標回転数補正部は、
前記風量設定部にて設定された設定風量と前記風量電流テーブルとに基づいて前記目標回転数を補正する基準となる電流値の範囲を決定する請求項４に記載の天井扇風機。
【請求項１１】
前記風量電流テーブルは、
設定風量とその設定風量に対応する最小電流値と当該設定風量に対応する最大電流値とを対応付けて記憶する請求項８に記載の天井扇風機。
【請求項１２】
前記風量電流テーブルは、
設定風量とその設定風量に対応する最小電流値と当該設定風量に対応する最大電流値とを対応付けて記憶する請求項９に記載の天井扇風機。
【請求項１３】
前記風量電流テーブルは、
設定風量とその設定風量に対応する最小電流値と当該設定風量に対応する最大電流値とを対応付けて記憶する請求項１０に記載の天井扇風機。
【発明の詳細な説明】
【技術分野】
【０００１】
本発明は、ＤＣモータを使用した天井扇風機に関するものである。
【背景技術】
【０００２】
従来、この種のＤＣモータを使用した天井扇風機は、一度に羽根の動作が確認できる場所に複数台設置された場合に、複数の天井扇風機の羽根の動作に違いがあると使用者に違和感を与えるなどの理由から、複数の天井扇風機の羽根の回転数を一定にするように制御するものが知られている（例えば、特許文献１参照）。【０００３】
以下、その天井扇風機について図４を参照しながら説明する。【０００４】
図４に示すように、天井扇風機本体１０１の主要部はＤＣモータ１０３、制御部１０４、羽根１０５からなり、制御部１０４は、羽根１０５が一定の回転数で動作するように、ＤＣモータ１０３を制御する。また、部屋を照らす照明１０２が天井扇風機本体１０１の下部の羽根１０５より下方に設置されている。【０００５】
このような従来のＤＣモータを使用した天井扇風機において、設置状態によっては、本来の所定の能力での運転ができない状態が発生する。【０００６】
例えば、同じ仕様の天井扇風機を、天井に近接した状態で設置した場合（距離Ｌｌ）と、ある程度天井から離れた状態で設置した場合（距離Ｌｈ）とにおける、同じ回転数での運転を比較する。【０００７】
図５の（ａ）に記載のように、同一回転数で運転すると、天井面までの距離によって能力が変化する。すなわち、天井面までの距離が大きい場合（遠い場合Ｌｈ）は、天井面までの距離が小さい場合（近い場合Ｌｌ）と比較して、同じ回転数で運転すると消費電力が小さくなる。つまり、仕事量が減少する。【０００８】
また、天井扇風機における定格能力は、部品の温度上昇などの制約により、消費電力によって決定している。そのため、消費電力が高い状態、すなわち、天井から比較的近い所定の距離に設置した状態での消費電力に基づいて、定格能力の回転数、つまり定格回転数を決定している。【０００９】
例えば、図５の（ａ）の場合では、消費電力４４Ｗを最大消費電力とする。そして、所定の距離Ｌｌに設置して消費電力４４Ｗで動作させた場合の運転回転数を定格回転数とする。【００１０】
このように定格回転数を決定すると、天井から遠い設置状態（距離Ｌｈ）において、定格回転数で運転した場合には、図５の（ａ）で示したように、消費電力が３２Ｗとなり、部品の温度上昇等の制約条件に対し余裕が生まれる。また、定格値（距離Ｌｌにおける出力）に対して、出力風量が小さくなってしまう。【００１１】
なお、図５の（ｂ）は、天井から遠い設置状態（距離Ｌｈ）に設置した従来の天井扇風機を図５の（ａ）に示した天井から近い所定の距離Ｌｌに設置した天井扇風機と同じ消費電力４４Ｗで動作させた場合の風速、風量を示した図である。天井から近い所定の距離Ｌｌに設置した天井扇風機の消費電力４４Ｗにおける動作に比べて、風速、風量共に大きく上回る。
【先行技術文献】
【特許文献】
【００１２】
【特許文献１】特許第４６４９９３４号公報
【発明の概要】
【００１３】
このように、従来の天井扇風機は設置状態、特に天井からの設置距離によって本来その天井扇風機が持つ能力で運転ができないという課題を有するものであった。
【００１４】
そこで本発明は、天井からの設置距離に関係なく、所定の能力で運転できる天井扇風機を提供する。
【００１５】
そして、天井扇風機は、羽根と、羽根を回転させるＤＣモータと、ＤＣモータを制御する制御部とを備える。また、制御部は、ＤＣモータの回転数を検出する回転数検出部と、ＤＣモータに通電されている電流値を検出する電流検出部と、ＤＣモータの目標回転数を設定する目標回転数設定部とを備える。また、回転数検出部で検出した回転数が目標回転数になるようにＤＣモータを制御する回転数制御部と、電流検出部で検出した電流値が所定の範囲内になるように目標回転数の変更を行う目標回転数補正部とを備える。
【００１６】
そして、この構成によれば、天井からの設置距離に関係なく、天井扇風機を所定の能力で運転することができる。
【図面の簡単な説明】
【００１７】
【図１】図１は、本発明の一実施の形態に係る天井扇風機を示す構成図である。
【図２】図２は、本発明の一実施の形態に係る天井扇風機のブロック回路図である。
【図３】図３は、本発明の一実施の形態に係る天井扇風機の動作パターンを示す説明図である。
【図４】図４は、従来の天井扇風機を示す構成図である。
【図５】図５は、従来の天井扇風機における能力の比較図である。
【発明を実施するための形態】
【００１８】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して説明を省略している。さらに、各図面において、本発明に直接には関係しない各部の詳細については説明を省略している。
【００１９】
（実施の形態）
図１に示すように、本実施の形態に係る天井扇風機本体１は、羽根４と、羽根４を回転させるＤＣモータ２と、ＤＣモータ２を制御する制御部３とを備えている。そして、天井扇風機本体１の動作状態を設定するために、無線通信可能なリモートコントローラ５が利用可能である。
【００２０】
リモートコントローラ５は、使用者が天井扇風機本体１からの風量、言い換えると羽根４の回転速度を操作するための風量設定ボタンを有している。本実施の形態において、天井扇風機本体１は、「強」「中」「弱」の３種の風量を設定可能とし、リモートコントローラ５は、それぞれに対応するボタンを備えている。「強」は、天井扇風機本体１が送風する最大風量を示し、「弱」は、天井扇風機本体１が送風する最小風量を示す。また「中」は「強」と「弱」の中間の風量を示す。そして最大風量とは、天井扇風機本体１に設定された定格回転数にて送風できる風量とすることができる。
【００２１】
図２に示すように、制御部３はマイクロコンピュータであり、制御部３はＤＣモータ２と制御可能に接続されている。制御部３は、回転数検出部６と、電流検出部７と、目標回転数補正部８と、回転数制御部９と、信号判断部１０と、風量設定部１１と、目標回転数設定部１２と、メモリ１３とを備えている。
【００２２】
回転数検出部６は、ＤＣモータ２内に設置された位置検出素子であるホールセンサからの信号である回転検出信号（ＦＧ）をカウントしてＤＣモータ２の回転数を検出する。
【００２３】
電流検出部７は、ＤＣモータ２に通電されている電流値を検出する。
【００２４】
信号判断部１０は、リモートコントローラ５からの信号を受信し、その信号の内容を解析する。信号の種類としては、「電源ＯＮ」、「電源ＯＦＦ」、「強」設定、「中」設定、「弱」設定などが挙げられる。
【００２５】
風量設定部１１は、信号判断部１０で解析した結果に基づいて、ＤＣモータ２に接続された羽根４から発生すべき風量を設定風量として設定する。この設定風量は、風量を示す例えば前述の「強」が該当する。設定された設定風量は、例えばメモリ１３に格納される。
【００２６】
目標回転数設定部１２は、風量設定部１１で設定した設定風量に対応する目標回転数を決定する。ここで設定風量に対応する目標回転数とは、設定風量を送風するために羽根４が要求される回転数のことである。目標回転数の決定は、例えば以下のように行われる。予め設定風量と、その設定風量を送風（実現）するために必要な羽根４の回転数とが関連付けられて、風量回転数テーブルとしてメモリ１３に記憶されている。目標回転数設定部１２は、風量設定部１１で設定した設定風量を取得し、取得したその設定風量に対応する羽根４の回転数をメモリ１３に記憶されている風量回転数テーブルから取得する。これにより目標回転数が決定される。決定された目標回転数は、例えばメモリ１３に格納される。
【００２７】
回転数制御部９は、天井扇風機本体１の駆動開始時に、目標回転数設定部１２にて設定された目標回転数と、回転数検出部６で検出した回転数を比較する。そして、目標回転数に到達するまでＤＣモータ２に回転数を上げるための出力指示を行う。また、目標回転数補正部８で補正された目標回転数に対しても、回転数を上げるまたは下げるための出力指示を行うが、詳細は後述する。
【００２８】
目標回転数補正部８は、電流検出部７で検出した電流値と、設定されている所定の電流値を比較して目標回転数を補正する。目標回転数の補正は例えば以下のように行われる。予め設定風量と、その設定風量に対応する最小電流値と、その設定風量に対応する最大電流値とが対応付けられて、風量電流テーブルとしてメモリ１３に記憶されている。目標回転数補正部８は、風量設定部１１で設定した設定風量を取得し、取得したその設定風量に対応する最小電流値と最大電流値とを風量電流テーブルから取得する。取得された最小電流値が所定の範囲の下限に、最大電流値が所定の範囲の上限に設定される。これにより、電流値の所定の範囲（電流値範囲）が決定される。
【００２９】
そして目標回転数補正部８は、電流検出部７から取得した電流値が、電流値範囲にあるか否かを判定する。電流値が電流値範囲内の場合には目標回転数を補正しない。これに対して、電流検出部７から取得した電流値が電流値範囲より大きい場合には、目標回転数を所定の割合で現在の値よりも少なくする。また、電流検出部７から取得した電流値が電流値範囲より小さい場合には、目標回転数を所定の割合で現在の値よりも大きくする。これにより目標回転数が補正される。補正された目標回転数は、例えばメモリ１３に格納される。
【００３０】
この構成において、本実施の形態の天井扇風機本体１の運転について説明する。
【００３１】
使用者がリモートコントローラ５を操作して運転を開始した場合に、信号判断部１０がリモートコントローラからの信号を解析する。解析した結果はメモリ１３に記憶される。
【００３２】
風量設定部１１は、メモリ１３を介して解析した結果を受け取り、「電源ＯＮ」である場合には、制御部３は、天井扇風機本体１の動作を開始すると共に、予め設定した運転開始時用の目標設定風量（以後、初期目標設定風量と記載）を設定風量としてメモリ１３を介して風量設定部１１に伝達する。また、解析した信号が「強」「中」「弱」であった場合にも、同様に解析された結果は、メモリ１３を介して風量設定部１１に伝達される。
【００３３】
ここでは「電源ＯＮ」を受け取り、初期目標設定風量である「強」が設定風量であるものとして説明する。
【００３４】
風量設定部１１は、メモリ１３を介して信号判断部１０から「電源ＯＮ」を受け取ると風量の設定「強」を設定風量として、メモリ１３を介して目標回転数設定部１２に伝達する。
【００３５】
目標回転数設定部１２は、風量設定部１１からの設定風量「強」を受けて、「強」に対応する目標回転数を決定する。ここで目標回転数は、風量回転数テーブルに基づいて例えば「１００ｒｐｍ」となる。
【００３６】
回転数制御部９は、回転数検出部６で検出するＤＣモータ２の回転数が、この目標回転数「１００ｒｐｍ」になるように、ＤＣモータの回転数を上昇させるよう制御する。
【００３７】
回転数制御部９は、所定の時間間隔で回転数検出部６からの回転数の目標回転数への到達を判定する。ＤＣモータ２の回転数が「１００ｒｐｍ」に到達すると、回転数制御部９は、到達した旨を示す到達信号を目標回転数補正部８に送信する。
【００３８】
目標回転数補正部８は、到達信号を受信すると、以下に示す目標回転数補正処理を行う。
【００３９】
続いて、図３を用いて、目標回転数補正処理における各動作パターンを説明する。
【００４０】
図３の（ａ）に示す動作パターンＰ１では、到達信号を受信した際（（ａ）のポイントＸ）に、ＤＣモータ２の電流値が、設定した電流値範囲に入っている場合を示している。つまり、目標回転数補正部８は、電流検出部７から取得した電流値が、電流値範囲にあるか否かを判定し、電流値が電流値範囲内の場合であるため目標回転数を補正しない。つまり、目標回転数補正部８は、目標回転数を変更することなく、このままに維持して運転を継続する。
【００４１】
この例では、設定風量が「強」、即ち天井扇風機本体１の最高の能力を求められている。そして、動作パターンＰ１では、「強」に対応する電流値範囲でＤＣモータ２に電流が流れていることになる。つまり、天井扇風機本体１は余力を持て余すことなく所定の能力を発揮することができる。
【００４２】
次に、図３の（ｂ）に示す動作パターンＰ２について説明する。動作パターンＰ２では、到達信号を受信した際（（ｂ）のポイントＸ）に、ＤＣモータ２の電流値が、設定した電流値範囲を下回っている場合を示している。つまり、目標回転数補正部８は、電流検出部７から取得した電流値が、電流値範囲にあるか否かを判定し、電流値が電流値範囲、つまり最小電流値より小さいと判定している。この場合には、目標回転数補正部８は、目標回転数を所定の割合で現在の値よりも大きく変更する。この変更は、上述したようにメモリ１３を介して回転数制御部９に伝達される。回転数制御部９は、変更された目標回転数に基づいて、ＤＣモータ２の回転数を増加させる。
【００４３】
目標回転数補正部８は、一定時間毎、例えば８秒毎に、電流検出部７で検出したＤＣモータ２の電流値が、設定した電流値範囲に到達するまで、目標回転数を一定回転数ずつ増加していく。図３の（ｂ）に示す動作パターンＰ２では、目標回転数補正部８は、ポイントＸ１、ポイントＸ２、ポイントＸ３の３回にわたって連続的に目標回転数を増加させている。ポイントＸ４では、目標回転数補正部８は、電流検出部７から取得した電流値が、電流値範囲にあるか否かを判定し、電流値が電流値範囲内の場合であると判定する。そして目標回転数を補正しない。つまり、目標回転数補正部８は、ポイントＸ４においては目標回転数を変更することなく、このままに維持して運転を継続する。
【００４４】
この例では、設定風量が「強」、即ち天井扇風機本体１の最高の能力を求められている。そして、動作パターンＰ２では、「強」に対応する電流値範囲でＤＣモータ２に電流が流れていない。つまり、ポイントＸでは天井扇風機本体１は余力を持て余しているため、上述した目標回転数の補正により、ポイントＸ４で所定の能力、つまり最大能力を発揮することができる。
【００４５】
次に、図３の（ｃ）に示す動作パターンＰ３について説明する。動作パターンＰ３は、ＤＣモータ２の回転数が、目標回転数に到達する前に設定した電流値の範囲を超えてしまった場合である。
【００４６】
目標回転数補正部８は、到達信号を受け取る前であっても、常時、電流検出部７からの電流値について、設定された電流範囲の上限、つまり最大電流値を超えているか超えていないかを判定する。動作パターンＰ３においては、目標回転数補正部８は、目標回転数に達していないポイントＹにおいて、最大電流値を超えたことを判定（検知）している。
【００４７】
この場合は、目標回転数補正部８は、電流検出部７で検出したＤＣモータ２の電流値が、設定した電流値範囲内に低下させるように、目標回転数を一定回転数だけ減少する。
【００４８】
その後、目標回転数補正部８は、一定時間毎、例えば８秒毎に、電流検出部７で検出したＤＣモータ２の電流値が、設定した電流値範囲に到達するまで、目標回転数を一定回転数ずつ減少していく。
【００４９】
図３の（ｃ）に示す動作パターンＰ３では、目標回転数補正部８は、ポイントＹ１、ポイントＹ２の２回にわたって連続的に目標回転数を減少させている。ポイントＹ３では、目標回転数補正部８は、電流検出部７から取得した電流値が、電流値範囲にあるか否かを判定し、電流値が電流値範囲内の場合であると判定する。そして目標回転数補正部８は、目標回転数を補正しない。つまり、目標回転数補正部８は、ポイントＹ３においては目標回転数を変更することなく、このままに維持して運転を継続する。
【００５０】
例えばこのような状態は、天井扇風機本体１が想定された天井からの最小設置距離よりも短い距離で設置されている場合に起こりうる。このような場合には、ＤＣモータ２が過負荷となり、ダメージを受けてしまうことが考えられる。（ｃ）に示す制御により、このようなＤＣモータ２への過負荷状態での運転を防止することができる。
【００５１】
以上は、設定風量が「強」の場合の処理であるが、「中」や「弱」の場合であっても同様の処理が行われる。当然ながら、電流値範囲は、「強」よりも「中」、「中」よりも「弱」の方がその最大電流値、最小電流値ともに小さい。
【００５２】
また、「強」から「中」や「弱」への切り替えも、上述した処理にて対応することができる。
【００５３】
以上のように、目標回転数補正処理を行うことで、天井扇風機本体１は、通電電流と通電電圧の積であるＤＣモータ２の消費電力を、設定した範囲で動作させることができる。つまり、天井扇風機本体１は、設定した消費電力で運転することとなるので、天井からの設置状態に関係なく、所定の能力で運転できるという効果を得られる。
【００５４】
なお、電流値による目標回転数の補正を実施する設定風量を、最大風量のみに限定してもよい。リモートコントローラ５を用いて使用者が「弱」や「中」を選択している場合には、電流値による目標回転数の補正を実施せず、一定回転数で制御する。一方、最大風量である「強」が設定された場合のみ、電流値による目標回転数の補正を実施し、ＤＣモータ２の電流値が、設定した電流値範囲内となるように制御する。
【００５５】
このような制御にすることにより、設定風量が、最大の風量以外のときは、一定の回転数で運転し、最大の風量が設定された場合のみ、電流値による目標回転数の補正を行うことが可能となる。すなわち、設定された風量が最大風量以外の場合は、従来の天井扇風機と同様に、複数台設定された場合の回転数の違いによる違和感を与えることなく運転する。最大風量の「強」を選択している場合のみ、使用感よりも能力を優先して、所定の能力での運転ができるという効果を得られる。
【００５６】
以上説明したように、本発明の実施の形態に係る天井扇風機は、羽根と、羽根を回転させるＤＣモータと、ＤＣモータを制御する制御部とを備える。また、制御部は、ＤＣモータの回転数を検出する回転数検出部と、ＤＣモータに通電されている電流値を検出する電流検出部と、ＤＣモータの目標回転数を設定する目標回転数設定部とを備える。さらに、制御部は回転数検出部で検出した回転数が目標回転数になるようにＤＣモータを制御する回転数制御部と、電流検出部で検出した電流値が所定の範囲内になるように目標回転数の変更を行う目標回転数補正部とを備える。
【００５７】
これにより、目標回転数補正部は、ＤＣモータに通電される電流値が、設定した電流値の範囲になるように、目標回転数を補正し、ＤＣモータ制御部は、回転数検出部が検出したＤＣモータの回転数が、目標回転数補正部が補正した目標回転数になるように制御する。つまりＤＣモータに通電される電流値が、設定した電流値範囲になるように、ＤＣモータを制御することとなるので、天井からの設置状態に関係なく、所定の能力で運転できるという効果を得られる。
【００５８】
また、さらに使用者からの風量の設定を受け取る風量設定部を備え、目標回転数設定部は、風量設定部で設定された設定風量に対応する目標回転数を決定し、目標回転数補正部が、風量設定部で設定された風量が最大風量の設定である場合に目標回転数の補正を実施する構成としてもよい。
【００５９】
これにより、設定された風量が最大の風量以外のときは、一定の回転数で運転し、最大の風量が設定された場合のみ、ＤＣモータの電流値による目標回転数の補正を行うこととなる。つまり設定風量が最大の風量以外の場合は、従来の天井扇風機と同様に、複数台設定された場合の回転数の違いによる違和感を与えることがない。そして能力が必要とされる最大の風量が設定された場合は、所定の能力での運転ができるという効果を得られる。
【００６０】
また、回転数制御部は、回転数検出部が検出した回転数の目標回転数への到達を判定し、目標回転数に到達した場合に到達した旨を示す到達情報を送信し、目標回転数補正部は、到達情報を受信した後に目標回転数の変更のための処理を開始する構成としてもよい。
【００６１】
これにより、電源ＯＮ時の回転数増加処理中に目標回転数の補正が行われることを防止し、回転数の制御が容易になる。
【００６２】
また、目標回転数を変更する基準となる風量電流テーブルは、設定風量と当該設定風量に対応する最小電流値と当該設定風量に対応する最大電流値とを対応付けたものとしてもよい。
【００６３】
目標回転数の補正のための電流値を、最小値から最大値までの範囲として設けることで、電流値を一点で定める場合に比べてＤＣモータの回転をスムーズに保つことができる。
【産業上の利用可能性】
【００６４】
本発明にかかる天井扇風機は、天井からの設置状態に関係なく、所定の能力で運転できる天井扇風機として有用である。
【符号の説明】
【００６５】
１，１０１  天井扇風機本体
２，１０３  ＤＣモータ
３，１０４  制御部
４，１０５  羽根
５  リモートコントローラ
６  回転数検出部
７  電流検出部
８  目標回転数補正部
９  回転数制御部
１０  信号判断部
１１  風量設定部
１２  目標回転数設定部
１３  メモリ
１０２  照明
【図１】
2016042696.tif 000003
【図２】
2016042696.tif 000004
【図３】
2016042696.tif 000005
【図４】
2016042696.tif 000006
【図５】
2016042696.tif 000007
【国際調査報告】
2016042696.tif 000008
2016042696.tif 000009
2016042696.tif 000010
2016042696.tif 000011